(57)【要約】【課題】施工のための労力、時間、経費を抑えることができると共に、高さの自由度が高い塀材を提供する。【解決手段】塀材１ａは、一対の平行な縦枠板１１及び縦枠板にそれぞれ直交する上枠板１２と下枠板１３により形成された枠体、及び枠体の両開口をそれぞれ閉塞する一対のパネル材１４を備え、内部に中空空間Ｓが形成されている木材製の塀材本体と、一対のパネル材を中空空間内で連結する一以上の連結桟材１８と、塀材本体の外表面を被覆する防水剤層とを具備し、塀材本体は、高さ１５０ｃｍ〜２５０ｃｍ、幅３０ｃｍ〜１２０ｃｍ、厚さ１０ｃｍ〜３０ｃｍに形成されている。【選択図】図１
2010037801.tif 000002
【特許請求の範囲】
【請求項１】
一対の平行な縦枠板及び該縦枠板にそれぞれ直交する上枠板と下枠板により形成された枠体、及び該枠体の両開口をそれぞれ閉塞している一対のパネル材を備え、内部に中空空間が形成されている木材製の塀材本体と、
一対の前記パネル材を前記中空空間内で連結している一以上の連結桟材と、
前記塀材本体の外表面を被覆する防水剤層とを具備し、
前記塀材本体は、高さ１５０ｃｍ〜２５０ｃｍ、幅３０ｃｍ〜１２０ｃｍ、厚さ１０ｃｍ〜３０ｃｍに形成されている
ことを特徴とする塀材。
【請求項２】
一対の前記パネル材はそれぞれ貫通する開口部を備え、一方の前記パネル材の前記開口部の外周辺及び他方の前記パネル材の前記開口部の外周辺が木材製の前記連結桟材によって連結されていることにより、前記塀材本体の厚さ方向に貫通する孔部が形成されている
ことを特徴とする請求項１に記載の塀材。
【請求項３】
前記塀材本体の厚さ方向の中心線は曲線であることを特徴とする請求項１または請求項２に記載の塀材。
【請求項４】
前記塀材本体の高さ、幅、及び厚さが規格化された請求項１に記載の塀材を予め製造し、高さ及び厚さが同一である複数の前記塀材を幅方向に連設することを特徴とする塀の構築方法。
【発明の詳細な説明】
【技術分野】
【０００１】
本発明は、塀材、及び、該塀材を用いた塀の構築方法に関するものである。
【背景技術】
【０００２】
隣接する住宅の境界、住宅と道路との境界などに設けられ、他者の出入りを防止すると共に視野を遮蔽する塀としては、従来、コンクリートブロック塀や、現場でコンクリートを打設する湿式コンクリート塀が多用されている。また、近年では、プレキャストコンクリートパネルを工場で製造し、現場に輸送して施工する乾式コンクリート塀も用いられている。
【０００３】
上記の従来技術は公然に実施されているものであり、この従来技術が記載された文献を、出願人は本願出願時においては知見していない。
【発明の開示】
【発明が解決しようとする課題】
【０００４】
しかしながら、コンクリートブロック塀は、鉄筋を縦横に配設し、モルタルを充填しながらブロックを積み上げて構築するため、現場での作業に多大な手間と時間を要するものであった。また、湿式コンクリート塀の場合も、縦横に鉄筋を組み上げた上で鉄筋を挟むように型枠を設置して型枠内にコンクリートを流し込み、コンクリートが硬化・乾燥してから型枠を取り外すという現場での作業に、多大な手間と時間を要するものであった。そして、長期にわたる現場での作業に伴う騒音や粉塵の飛散により、近隣の住民が迷惑を被るという問題もあった。
【０００５】
一方、乾式コンクリート塀の場合は、現場でコンクリートを硬化・乾燥させる時間を省き、施工期間を短縮することはできるものの、重量物であるプレキャストコンクリートパネルを輸送して現場で施工するために、大型の輸送車やクレーンを必要とすると共に、多人数の作業者を要するという問題があった。加えて、道路幅の狭い住宅地など、大型の輸送車やクレーンが進入できない場所には、プレキャストコンクリートパネルによる塀は施工できないという問題があった。
【０００６】
また、コンクリートブロック塀やコンクリート塀の場合は、倒壊を防止すべく所定の強度を保つために、鉄筋の間隔が法律や設計基準で定められているところ、近年では地震による大きな被害が相次いだことを受けて、耐震性をより高めることに対する社会的要請がある。そのため、より高密度の配筋が求められ、より多くの労力、時間、及びコストがかかるようになって来ているという問題があった。
【０００７】
加えて、コンクリートブロック塀やコンクリート塀では、法律や設計基準で高さが制限されているところ、地震による被害に対するおそれにより、高さを更に低く抑えたいと考える施工業者も多い。そのため、一般的なコンクリートブロック塀やコンクリート塀の高さは１５０ｃｍ程度までに留められているのが現状であり、視野を遮蔽する作用効果が不十分であるという問題もあった。
【０００８】
そこで、本発明は、上記の実情に鑑み、施工のための労力、時間、経費を抑えることができると共に、高さの自由度が高い塀材、及び、該塀材を用いた塀の構築方法の提供を課題とするものである。
【課題を解決するための手段】
【０００９】
上記の課題を解決するため、本発明にかかる塀材は、「一対の平行な縦枠板及び該縦枠板にそれぞれ直交する上枠板と下枠板により形成された枠体、及び該枠体の両開口をそれぞれ閉塞している一対のパネル材を備え、内部に中空空間が形成されている木材製の塀材本体と、一対の前記パネル材を前記中空空間内で連結している一以上の連結桟材と、前記塀材本体の外表面を被覆する防水剤層とを具備し、前記塀材本体は、高さ１５０ｃｍ〜２５０ｃｍ、幅３０ｃｍ〜１２０ｃｍ、厚さ１０ｃｍ〜３０ｃｍに形成されている」ものである。
【００１０】
「塀材本体」は木材製であるため、「縦枠板」、「上枠板」、「下枠板」及び「パネル材」には木材製の板材が用いられるが、木材の種類は特に限定されない。また、「連結桟材」の材質は特に限定されるものではないが、例えば、木材製の板材または角材、あるいは、中空または中実の金属棒、金属製のアングル材等を使用することができる。なお、「連結桟材」は一対のパネル材を中空空間内で連結しているものであるが、一対のパネル材を連結していると同時に一対の縦枠板を連結している構成、一対のパネル材を連結していると同時に連結桟材と縦枠板とを連結している構成、一対のパネル材を連結していると同時に連結桟材どうしを連結している構成、あるいは、一対のパネル材を連結していると同時に連結桟材と上枠板を連結している構成等とすることもできる。
【００１１】
上記構成の本発明の塀材は、一対の縦枠板、上枠板、下枠板、及び一対のパネル材が一体化された六面構造であるため、各方向から働く応力に対する強度が高い。また、本発明は連結桟材を具備しているため、更に強度が補強され、上記の六面構造が剛性の高い堅固な構造となっている。そして、本発明の塀材は、一対の縦枠板、上枠板、下枠板、一対のパネル材による一体構造であるため、積み上げたブロックが崩壊するおそれを回避し得ないコンクリートブロック塀や、コンクリートに亀裂や割れが生じて崩壊するおそれを回避し得ないコンクリート塀とは異なり、塀材の一部が崩壊するおそれがない。
【００１２】
そして、本発明の塀材は、高強度で部分的に崩壊するおそれがないことに加えて、主に木材製で中空構造であるため、コンクリートブロック塀やコンクリート塀に比べて非常に軽い。そのため、コンクリートブロック塀やコンクリート塀に比べて、高さを大きな値に設定しても、塀材として必要とされる強度を実現することができる。そのため、本発明の塀材は、高さの自由度が高い。
【００１３】
本発明の塀材は、木材製の中空構造で軽いことに加えて、塀材本体が高さ１５０ｃｍ〜２５０ｃｍ、幅３０ｃｍ〜１２０ｃｍ、厚さ１０ｃｍ〜３０ｃｍのサイズとされているため、輸送のために大型車を必要としないと共に、クレーン等の重機を使用しなくても一〜二名の作業者の人力で扱うことが可能である。そのため、予め塀材を工場で製造し、小型の輸送車で現場に移送して少人数の作業者で塀を容易に構築することができる。これにより、現場での作業期間を短縮し、労力及び経費を低減して塀を構築することが可能となる。また、従来の乾式コンクリート塀の場合では、工場で製造した塀を施工する現場が、大型の輸送車やクレーンが進入できる場所に限定されていたところ、本発明の塀材によれば施工場所を問わず塀を施工することができる。
【００１４】
加えて、本発明の塀材は、塀材本体の外表面が防水剤層で被覆されているため、塀材本体内部への雨水の浸入が防止されていると共に、木材製の塀材本体の腐食が抑制され、塀材の耐用期間が長いものとなっている。
【００１５】
また、本発明の塀材は中空構造であるが、外観からは中空構造であることは分からないため、木材製の単なる板塀に比べて厚みがある分、重厚感を与える塀を構築することができる。更に、塀は住宅の周囲に設けられることが多いが、木材製の単なる板塀の場合は意匠的に釣り合う住宅の様式が和風建築に限定される傾向がある。これに対し、本発明の塀材の場合は、防水剤層の上から仕上げ塗装を施し、あるいは、煉瓦やタイル材等の仕上げ材を施すことにより、木材製の塀でありながら煉瓦塀、石造り塀、コンクリート塀のような外観を呈するものとすることができる。これにより、本発明の塀材によれば、住宅の様式を問わず、洋風建築にも和風建築にもマッチする塀を構築することができる。
【００１６】
本発明にかかる塀材は、「一対の前記パネル材はそれぞれ貫通する開口部を備え、一方の前記パネル材の前記開口部の外周辺及び他方の前記パネル材の前記開口部の外周辺が木材製の前記連結桟材によって連結されていることにより、前記塀材本体の厚さ方向に貫通する孔部が形成されている」ものとすることができる。
【００１７】
コンクリートブロック塀やコンクリート塀は、縦横に鉄筋を配する必要があるため、厚さ方向に貫通する孔部を設けることはできない。なお、コンクリートブロックには、透かしブロックと称される穴開きのものもあるが、ブロックに部分的に設けられる穴の大きさは、小さいものに限定されている。加えて、塀の強度の低下を招くため、透かしブロックが連続して配置されるようにブロックを積み上げることはできない。
【００１８】
これに対し、本発明の塀材は、塀材としての強度を発揮するために鉄筋を配することを必要とせず、内部は中空空間であるため、塀材本体の厚さ方向に貫通する孔部を備える構成とすることが可能である。また、本発明の塀材は上記のように六面構造で強度が高いことに加え、塀材本体の厚さ方向に貫通する孔部は、対向するパネル材の開口部の外周辺どうしが連結桟材で連結されることによって形成されるものであり、この連結桟材は上述のように塀材の剛性や強度を高める作用を奏する構成である。そのため、穴を設けることによって強度が低下してしまうコンクリートブロックとは異なり、本発明では塀材としての強度を低下させることなく、厚さ方向に貫通する孔部を設けることができる。例えば、本発明では、塀材として必要とされる強度を損なうことなく、塀材本体の高さの１／２〜２／３という長い孔部を設けることが可能である。
【００１９】
また、木材製のパネル材に貫通する開口部を設ける作業は容易であるため、種々の形状の開口部を形成することができる。例えば、開口部の形状を、正方形、長方形、菱形、台形、平行四辺形とすることができる。このように、本発明によれば、種々の形状及び大きさの貫通する孔部を窓のように設けることができるため、塀材の意匠性を高めことができると共に、塀材のデザインを多様化することができる。
【００２０】
本発明にかかる塀材は、「前記塀材本体の厚さ方向の中心線は曲線である」ものとすることができる。
【００２１】
コンクリートブロック塀では、塀面が曲面となるようにブロックを積み上げることはできない。一方、コンクリート塀には塀面が曲面のものもあるが、このようなコンクリート塀を構築するためには、側面が曲面状の型枠を予め用意する必要があった。
【００２２】
これに対し、本発明では、塀材を構成する木材製のパネル材自体を湾曲させて、曲面を有する塀材本体を形成することができるため、型枠を用意する労力、時間、及び経費を低減して、曲面を有する塀を構築することが可能となる。そして、曲面を有する塀材を用いることにより、構築される塀の意匠性を高めることができると共に、塀のデザインを更に多様化することができる。
【００２３】
次に、本発明の塀の構築方法は、「前記塀材本体の高さ、幅、及び厚さが規格化された上記の塀材を予め製造し、高さ及び厚さが同一である複数の前記塀材を幅方向に連設する」ものである。
【００２４】
「前記塀材本体の高さ、幅、及び厚さが規格化された上記の塀材」は、高さ、幅、及び厚さが統一されていれば他の要素は異なっていても良く、塀材本体の厚さ方向に貫通する孔部を備える塀材、塀材本体の厚さ方向に貫通する孔部を備えない塀材、塀材本体の横断面が矩形の塀材、塀材本体の厚さ方向の中心線が曲線である塀材など、種々の塀材とすることができる。
【００２５】
上記構成の本発明によれば、塀材本体の高さ、幅、及び厚さを規格化することにより、塀の構築単位となる塀材が工場での大量生産に適したものとなる。そして、本発明では、上述のように、大型の輸送車やクレーンを要することなく少人数の作業者で扱えるサイズの範囲内で、高さ、幅、及び厚さが規格化されるため、工場で製造した塀材を現場に容易に移送し、現場で連設することにより、現場での作業期間、労力、及び経費を低減して塀を構築することができる。
【００２６】
このとき、例えば、高さが大きい値に設定された規格品を使用すれば、視野の遮蔽効果の高い塀を構築することができ、高さが小さい値に設定された規格品を使用すれば、圧迫感を与えることなく敷地を区画する塀を構築することができる。また、塀の長さは、塀材の個数や幅の異なる塀材の組み合わせによって調整することができる。更に、塀材本体の厚さ方向に貫通する孔部を備える塀材や、塀材本体の厚さ方向の中心線が曲線である塀材を、このような構成を有しない塀材と同じサイズ規格で予め製造しておくことにより、これらの塀材を自由に組み合わせて、種々の塀を構築することができる。これにより、工場での大量生産に適した規格品を用いながら、好みや用途に応じて多様な塀を構築することができる。
【発明の効果】
【００２７】
以上のように、本発明の効果として、施工のための労力、時間、経費を抑えることができると共に、高さの自由度が高い塀材、及び、該塀材を用いた塀の構築方法を提供することができる。
【発明を実施するための最良の形態】
【００２８】
以下、本発明の最良の一実施形態である塀材について、図１乃至図９に基づいて説明する。ここで、図１は本実施形態の基本型塀材１ａの構成を示す（ａ）平面図、（ｂ）正面図、（ｃ）右側面図、（ｄ）ａ−ａ線断面図、（ｅ）Ａ−Ａ線断面図であり、図２は本実施形態の窓付き塀材１ｂの構成を示す（ａ）平面図、（ｂ）正面図、（ｃ）右側面図、（ｄ）ｂ−ｂ線断面図、（ｅ）Ｂ−Ｂ線断面図であり、図３は窓付き塀材の種類の説明図であり、図４は本実施形態のアール型塀材１ｆの構成を示す（ａ）平面図、（ｂ）正面図、（ｃ）Ｄ−Ｄ線断面図、（ｄ）右側面図、（ｅ）背面図、（ｆ）ｄ−ｄ線断面図であり、図５はアール型塀材の種類の説明図であり、図６は第一支持部の連結桟材への固定を説明する（ａ）側面図、（ｂ）平面図であり、図７は支持部材の一体化を説明する説明図であり、図８は本実施形態の塀材を用いて構築された塀を例示する斜視図であり、図９は本実施形態の塀材を用いて構築された塀を例示する平面図である。
【００２９】
本実施形態の塀材は、塀材本体の高さ、幅、及び厚さについて複数の規格が定められており、塀材本体の高さ、幅、及び厚さが統一された複数種類の塀材により構成された塀材シリーズが複数設けられている。以下では、塀材本体の高さ１８０ｃｍ、幅４５ｃｍ、厚さ１０ｃｍに統一された塀材シリーズについて例示する。
【００３０】
本実施形態の塀材シリーズは、基本型塀材１ａ、塀材本体の厚さ方向に貫通した孔部を備える点で基本型塀材１ａと相違する窓付き塀材１ｂ，１ｃ，１ｄ，１ｅ、及び、塀材本体の厚さ方向の中心線が曲線である点で基本型塀材１ａ及び窓付き塀材１ｂ等と相違するアール型塀材１ｆ，１ｇ，１ｈによって構成されている。
【００３１】
まず、塀材１ａ〜１ｈに共通する基本的な構成を、基本型塀材１ａを例にとり図１を用いて説明する。塀材１ａは、一対の平行な縦枠板１１及び縦枠板１１にそれぞれ直交する上枠板１２と下枠板１３により形成された枠体、及び枠体の両開口をそれぞれ閉塞している一対のパネル材１４を備え、内部に中空空間Ｓが形成されている木材製の塀材本体と、一対のパネル材１４を中空空間Ｓ内で連結している一以上の連結桟材１８と、塀材本体の外表面を被覆する防水剤層とを具備している。また、塀材１ａ塀材本体の横断面の外形は矩形である。
【００３２】
なお、防水剤層の図示は省略しているが、塀材本体の外表面に防水剤が塗布されていることにより、縦枠板１１と上枠板１２、及び縦枠板１１と下枠板１３の継ぎ目は、塀材本体の外表面にはあらわれていない。
【００３３】
塀材１ａの構成をより詳細に説明すると、本実施形態では、縦枠板１１、上枠板１２、下枠板１３、及び連結桟材１８として、パネル工法のために規格化された木材製の板材を使用している。また、パネル材１４としては、日本農林規格で定められた構造用合板を使用している。更に、塀材１ａにおける連結桟材１８は、一対の縦枠板１１及び一対のパネル材１４を共に連結する構成であり、本実施形態では五枚が設けられているが、連結桟材１８の数及び間隔は、塀材に必要とされる強度に応じ、構造計算に基づいて決定することができる。
【００３４】
また、塀材１ａは、少なくとも一つの連結桟材１８及び下枠板１３に対して固定されていると共に、下枠板１３より下方に突出している長尺棒状の支持部材３０を具備している（図７参照）。更に、この支持部材３０は、連結桟材１８に対して固定されている第一支持部３１と、第一支持部３１の他端が固着されていると共に下枠板１３に固定されているジョイント部３３と、ジョイント部３３に対して着脱可能に連結される第二支持部３２とを具備している。
【００３５】
ここで、本実施形態の第一支持部３１及び第二支持部３２は金属製のパイプによって構成されている。そして、第一支持部３１は中空空間Ｓ内で四枚の連結桟材１８に対して固定されている。具体的には、連結桟材１８にはそれぞれ第一支持部３１の外径より若干大きい直径の円孔が穿設されており、第一支持部３１はこれらの円孔を挿通した上で、固定金具４０によって連結桟材１８に固定されている。
【００３６】
この固定金具４０は、図６に示すように、断面Ｌ字形に形成された固定板４１と、第一支持部３１を巻き締める略Ｕ字状の締め付け金具４２で構成されている。Ｌ字形の固定板４１の一面４１ａは、他の一面４１ｂが第一支持部３１の外周面に接する状態で立設するように、連結桟材１８に螺子５１で留め付けられている。そして、固定板４１の立設する面４１ｂには、締め付け金具４２の外径より若干大きな直径の小孔４１ｈが二つ穿設されている。一方、締め付け金具４２の両端には螺子部４２ｂが設けられている。かかる構成により、略Ｕ字状の締め付け金具４２を第一支持部３１の外周面を囲むように取り付け、締め付け金具４２の両端を小孔４１ｈに通した上で螺子部４２ｂをナット５２で留め付けることにより、締め付け金具４２が第一支持部３１を巻き締めた状態で固定板４１に固定される。これにより、締め付け金具４２及び固定板４１を介して、第一支持部３１を連結桟材１８に対して堅固に固定することができる。
【００３７】
一方、第二支持部３２は、螺合によってジョイント部３３と着脱可能な構成となっている。本実施形態では、図７（ａ）に示すように、円筒状のジョイント部３３の内周面に螺子溝３８が形成されており、第二支持部３２の端部には螺子溝３８と螺合可能な螺子部３７が形成されている。なお、図７（ａ）では、第二支持部３２を一部を切欠いた断面図として図示している。このような構成により、第二支持部３２の螺子部３７をジョイント部３３の螺子溝３８と螺合させることにより、図７（ｂ）に示すように、ジョイント部３３を介して第一支持部３１と第二支持部３２を一体化することができる。なお、第二支持部３２のパイプ内周面に螺子溝が形成され、ジョイント部３３の螺子部と螺合させる構成とすることもできる。
【００３８】
次に、本実施形態の塀材シリーズにおける窓付き塀材１ｂ，１ｃ，１ｄ，１ｅの基本的な構成について、塀材１ｂを例にとり図２を用いて説明する。なお、以下では、基本型塀材１ａと同様の構成については同一の符号を付し、詳細な説明は省略する。
【００３９】
塀材１ｂの一対のパネル材１４はそれぞれ開口部を備えており、一方のパネル材１４の開口部の外周辺、及び他方のパネル材１４の開口部の外周辺が連結桟材１８によって連結されていることにより、一方のパネル材１４の開口部と他方のパネル材１４の開口部とが連通すると共に、両パネル材１４の開口部間で中空空間Ｓが連結桟材１８によって閉塞され、塀材本体の厚さ方向に貫通する孔部２０が形成されている。なお、孔部２０の内周面にも防水剤が塗布され、防水剤層が形成されていることにより、連結桟材１８とパネル材１４との継ぎ目は孔部２０の内周面にあらわれていない。
【００４０】
ここで、塀材１ｂの孔部２０は正面視長方形であり、その長さは塀材本体の長さの１／２以上というかなり長いものである。本実施形態では、孔部２０を形成するために対向するパネル材１４間に配された連結桟材１８によって、塀材本体の強度が補強されているため、このように長い孔部２０を設けても塀材として必要な強度が損なわれることがない。
【００４１】
なお、本実施形態では、両パネル材１４の開口部の外周辺を連結する連結桟材１８に加えて、対向するパネル材１４を連結すると同時に連結桟材１８と縦枠板１１とを連結する連結桟材１８が設けられており、塀材本体の強度がより高められている。
【００４２】
本実施形態の塀材シリーズは、図３に示すように、長い孔部２０を一つ備える上記の塀材１ｂの他、複数の種類の窓付き塀材１ｃ，１ｄ，１ｅを備えている。ここで、図３（ａ）は塀材１ｂ，１ｃ，１ｄ，１ｅに共通する平面図であり、図３（ｂ）〜図３（ｅ）はそれぞれ塀材１ｂ，１ｃ，１ｄ，１ｅの正面図であり、図３（ｆ）は塀材１ｅのＣ−Ｃ線断面図である。ここで、塀材１ｃは塀材１ｂと同様に孔部２０がかなり長いことに加えて、この孔部２０が横方向に二つ設けられている。また、塀材１ｄは小さめの孔部２０が縦方向に複数設けられたタイプである。また、塀材１ｅは、一方のパネル材１４の開口部と他方のパネル材１４の開口部の位置が横方向にずれており、図３（ｆ）に示すＣ−Ｃ線断面図から明らかなように、孔部２０を介して塀の内部が外部から見え難い効果を奏する塀材である。
【００４３】
次に、アール型塀材１ｆ，１ｇ，１ｈについて説明する。まず、アール型塀材の基本的な構成を、塀材１ｆを例として図４を用いて説明する。本実施形態の塀材１ｆでは、塀材本体の厚さ方向の中心線は、図４（ａ）に一点鎖線で示すように曲線である。加えて、本実施形態の塀材１ｆでは、一対のパネル材１４’は半径約３００ｍｍの円弧状であり、塀材本体の横断面の外形は扇形となっている。
【００４４】
そして、図５に示すように、本実施形態の塀材シリーズはアール型塀材として、孔部２０のないタイプである上記の塀材１ｆの他、長い孔部２０を一つ備える塀材１ｇ、及び、小さめの孔部２０が縦方向に複数設けられた塀材１ｈを備えている。ここで、図５（ａ）は塀材１ｆ，１ｇ，１ｈに共通する平面図であり、図５（ｂ）〜図５（ｄ）はそれぞれ塀材１ｆ，１ｇ，１ｈの正面図であり、図５（ｅ）は塀材１ｇのＥ−Ｅ線断面及び塀材１ｈのＦ−Ｆ線断面に同一にあらわれる断面図である。
【００４５】
上記構成の塀材１ａ〜１ｈは予め工場で製造してから現場に移送し、これらを用いて塀を構築することができる。現場での施工に際しては、まず、第二支持部３２をジョイント部３３と螺合させることにより、ジョイント部３３を介して第二支持部３２を第一支持部３１と一体化する。そして、第二支持部３２を地表に設けられた基礎部に埋設することにより、塀材を立設させることができる。ここで、第二支持部３２の基礎部への埋設は、予め縦孔を基礎部に設けておき、第二支持部３２を縦孔に挿通した上で縦孔にモルタルを充填することにより行うことができる。あるいは、第二支持部３２より若干大径のスリーブ材を予め基礎部に埋設しておき、このスリーブ材に第二支持部３２を挿通することによっても、第二支持部３２を基礎部に埋設することができる。なお、第二支持部３２の基礎部への埋設に加えて、塀材本体の底部を基礎部に埋設することもできる。
【００４６】
塀の構築にあたっては、塀材本体の高さ、幅、及び厚さが規格化された複数の塀材シリーズの中から、高さ及び幅が同一の塀材の複数を選択し、これらを幅方向に連設することにより、高さ及び厚さの揃った塀を構築することができる。例えば、図８に例示するように、複数の基本型塀材１ａが連設され、その途中に窓付き塀材１ｃが配されると共に、塀端にアール型塀材１ｈが配されるように、それぞれの塀材１ａ，１ｃ，１ｈの第二支持部を基礎部Ｇに埋設して塀１００を構築することができる。
【００４７】
アール型塀材は、塀端に配置することにより、例えば図９（ａ）に平面視で示すように、住宅の入口において門塀として使用することができる。あるいは、図９（ｂ）に示すように、塀の直交する角部にアール型塀材を配置することにより、柔らかな印象を与える塀を構築することができる。また、あるいは、図９（ｃ）に示すように、塀の直線部の途中にアール型塀材を配置することにより、樹木の植栽等を行うことが可能なスペースが設けられた独創的な塀を構築することができる。なお、図９では、孔部２０を備えないタイプの塀材１ａ及び塀材１ｆを用いて塀を構築する場合を例示しているが、もちろん、孔部２０を備える塀材を用いて平面視が同一の塀を構築することもできる。
【００４８】
なお、連設された複数の塀材間は、化粧目地によってシーリングすることができる。また、現場で塀材を連設する前あるいは後に、防水剤層の上から、塀材本体に仕上げ塗装を施し、あるいは、煉瓦やタイル等の化粧材を施すことができる。
【００４９】
上記のように、本実施形態の塀材１ａ〜１ｈは、木材製の板材である一対の縦枠板１１、上枠板１２、下枠板１３、一対のパネル材１４，１４’が一体化された六面構造であるため、各方向から働く応力に対する強度が高いことに加え、連結桟材１８を複数具備することにより六面構造が補強されて、剛性の高い堅固な構造となっている。加えて、本実施形態の塀材１ａ〜１ｈは、縦枠板１１、上枠板１２、下枠板１３、パネル材１４，１４’、及び、連結桟材１８の全てが木材製であり、しかも中空構造であるために非常に軽い。そのため、１８０ｃｍという高さであっても、塀材として必要な強度を発揮することができる。
【００５０】
そして、本実施形態の塀材で構築された塀材は、上下方向において一体構造であるため、コンクリートブロック塀とは異なり崩壊するおそれがない。そのため、コンクリートブロック塀やコンクリート塀では実現が難しい１８０ｃｍの高さの塀を構築することができる。
【００５１】
また、本実施形態の塀材シリーズは、塀材本体の高さ１８０ｃｍ、幅４５ｃｍ、厚さ１０ｃｍという、一〜二名の作業者の人力で扱うことが可能なサイズに統一されている。そのため、予め工場で製造した塀材１ａ〜１ｈを、容易に現場に移送し、少人数の作業者により労力及び経費を低減して塀を構築することができる。また、大型の輸送車やクレーンが不要であるため、施工場所を問わず塀を構築することができる。
【００５２】
更に、本実施形態の塀材１ａ〜１ｈは、塀材本体の外表面が防水剤層で被覆されているため、塀材本体内部への雨水の浸入が防止されていると共に、木材製の塀材本体の腐食が抑制され、塀材の耐用期間が長いものとなっている。
【００５３】
また、本実施形態の塀材は鉄筋を配する必要がないため、塀材本体の厚さ方向に貫通する孔部２０を備える塀材１ｂ〜１ｅ，１ｇ，１ｈとすることができる。加えて、孔部２０を形成するために配される連結桟材１８は塀材本体の強度を補強する作用を奏するため、孔部２０を設けることによって塀材の強度が低下するおそれがなく、長い孔部２０が設けられた塀材１ｂ、１ｃ、１ｅ、１ｇや、複数の孔部２０が形成された塀材１ｃ、１ｄ、１ｈとすることができる。特に、塀材１ｂ，１ｃ，１ｅ，１ｇの孔部２０の長さは塀材本体の高さの１／２以上であり、従来のコンクリートブロック塀やコンクリート塀では到底実現できない長さの孔部２０となっている。これにより、本実施形態の塀材１ａ〜１ｈによれば、従来では不可能であったデザインの塀を実現できると共に、塀のデザインを極めて多様なものとすることができる。
【００５４】
また、本実施形態の塀材シリーズは、横断面の外形が矩形である塀材１ａ，１ｂ，１ｃ，１ｄ，１ｅに加えて、横断面の外形が扇形である塀材１ｆ，１ｇ，１ｈをそれぞれ複数種類備えているため、構築される塀の意匠性をより高めることができると共に、塀材のデザインを更に多様化することができる。
【００５５】
そして、本実施形態の各塀材は、塀材本体の高さ、幅、及び厚さが規格化されていることにより、工場での大量生産に適したものとなっている。特に、本実施形態では、パネル工法のために規格化された板材や構造用合板を使用して塀材本体を形成しているため、サイズが規格化された塀材を製造し易く、工場での大量生産により適したものとなっている。
【００５６】
また、本実施形態ではパネル材１４として構造用合板を使用しているため、経時的にパネル材に歪み、反り、収縮が生じ難い。そのため、塀材本体の経時的な変形が抑制されていると共に、防水剤層の上から塀材本体に仕上げ塗装やタイル等の仕上げ材を施しても、パネル材１４の反り等に起因して仕上げ塗装に亀裂が生じたり、仕上げ材が剥離したりするおそれが有効に低減されている。
【００５７】
加えて、本実施形態の塀材は、孔部２０の有無、孔部２０の形状、孔部２０の数、塀材本体の横断面の外形について複数の種類を有しているため、これらを組み合わせることにより、規格品を用いながら多様な塀を構築することができる。
【００５８】
また、本実施形態の塀材１ａ〜１ｈは長尺棒状の支持部材３０を有している。そして、支持部材３０において下枠材の下方から突出させる第二支持部３２が基礎部に埋設される構成であり、第二支持部３２は中空空間Ｓ内で連結桟材１８に固定されている第一支持部３１とジョイント部３３を介して一体化されているため、支持部材３０を介して塀材１ａ〜１ｈを基礎部に安定的に支持させることができる。これにより、本実施形態の塀材１ａ〜１ｈは１８０ｃｍと高いのであるが、塀材１ａ〜１ｈが倒れることが防止され、耐震性の高い塀を構築することができる。また、長尺棒状の支持部材３０という極めて簡易な構成で、塀材１ａ〜１ｈを基礎部に対して安定的に支持させることができる。
【００５９】
更に、本実施形態では、ジョイント部３３を介して第二支持部３２が着脱可能な構成であるため、輸送の際には第二支持部３２を塀材本体から取り外しておくことができ、第二支持部３２が塀材本体から突出して輸送の邪魔になることを防止することができる。また、第二支持部３２が塀材本体から分離可能であるため、輸送の際に塀材本体を容易に梱包することができる。
【００６０】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００６１】
例えば、上記では、塀材本体のサイズが高さ１８０ｃｍ、幅４５ｃｍ、及び厚さ１０ｃｍに統一された塀材を例示したが、これに限定されず、高さ１５０ｃｍ〜２５０ｃｍ、幅３０ｃｍ〜１２０ｃｍ、厚さ１０ｃｍ〜３０ｃｍの範囲で塀材本体のサイズが設定された、複数種類の規格品シリーズを設けることができる。特に、上記の実施形態では高さが１８０ｃｍの塀材を例示しているが、本発明の塀材は、塀材として必要な強度を維持しつつ、高さを２５０ｃｍまで高めることが可能である。
【００６２】
また、上記では、一つの塀材が一本の支持部材を備える場合を例示したが、これに限定されず、一つの塀材に複数本の支持部材が設けられる構成とすることができる。
【００６３】
更に、支持部材が固定金具で連結桟材に固定される場合を例示したが、これに限定されず、例えば、連結桟材に固定された金属製の金具と金属製の支持部材とが溶接される構成とすることもできる。
【００６４】
加えて、アール型塀材として塀材本体の外形が扇形である場合を例示したが、これに限定されず、塀材本体の外形を略半円形や波形とすることもできる。
【図面の簡単な説明】
【００６５】
【図１】本実施形態の基本型塀材１ａの構成を示す（ａ）平面図、（ｂ）正面図、（ｃ）右側面図、（ｄ）ａ−ａ線断面図、（ｅ）Ａ−Ａ線断面図である。
【図２】本実施形態の窓付き塀材１ｂの構成を示す（ａ）平面図、（ｂ）正面図、（ｃ）右側面図、（ｄ）ｂ−ｂ線断面図、（ｅ）Ｂ−Ｂ線断面図である。
【図３】窓付き塀材の種類の説明図である。
【図４】本実施形態のアール型塀材１ｆの構成を示す（ａ）平面図、（ｂ）正面図、（ｃ）Ｄ−Ｄ線断面図、（ｄ）右側面図、（ｅ）背面図、（ｆ）ｄ−ｄ線断面図である。
【図５】アール型塀材の種類の説明図である。
【図６】第一支持部の連結桟材への固定を説明する（ａ）側面図、（ｂ）平面図である。
【図７】支持部材の一体化を説明する説明図である。
【図８】本実施形態の塀材を用いて構築された塀を例示する斜視図である。
【図９】本実施形態の塀材を用いて構築された塀を例示する平面図である。
【符号の説明】
【００６６】
１ａ，１ｂ，１ｃ，１ｄ，１ｅ，１ｆ，１ｇ，１ｈ  塀材
１１  縦枠板
１２  上枠板
１３  下枠板
１４  パネル材
１８  連結桟材
２０  孔部
Ｓ  中空空間
【図１】
2010037801.tif 000003
【図２】
2010037801.tif 000004
【図３】
2010037801.tif 000005
【図４】
2010037801.tif 000006
【図５】
2010037801.tif 000007
【図６】
2010037801.tif 000008
【図７】
2010037801.tif 000009
【図８】
2010037801.tif 000010
【図９】
2010037801.tif 000011